(57)【要約】【課題】ピックアップユニットを光ディスク記録媒体の記録面に対峙させて移動させなくても、情報の読出しや書込みを可能にする。【解決手段】ピックアップユニット２５からの光ビーム２３ａは、回転ミラー２６によって入射角度を変えてＦθレンズ２８に入射し、固定ミラー２９で反射して光ディスク記録媒体２２の情報記録面に導かれる。情報記録面に対峙する空間には光ビーム２３ｂの光路が確保されれば、ピックアップユニット２５を光ディスク記録媒体２２の情報記録面に対峙させて移動させなくても、情報の読出しや書込みが可能になる。【選択図】      図１
2004280937.tif 000002
【特許請求の範囲】
【請求項１】
光ディスク記録媒体に対する再生や記録を行うための光ピックアップ装置において、
光ディスク記録媒体の情報記録面に光スポットを形成してアクセスするための光ビームの送受光を行う送受光手段と、
送受光手段と光ディスク記録媒体との間に配置され、送受光手段との間では光ビームの経路を静止させ、光ディスク記録媒体との間では光ビームの経路を移動させて、光ディスク記録媒体の情報記録面を光スポットで走査可能な光走査手段とを含むことを特徴とする光ピックアップ装置。
【請求項２】
前記光走査手段は、前記送受光手段との間の光ビームに対して垂直な軸まわりに角変位し、光ビームの出射角度が時間的に変化する角変位ミラーを含むことを特徴とする請求項１記載の光ピックアップ装置。
【請求項３】
光ディスク記録媒体に対する再生や記録を行うための光ピックアップ装置において、
光ディスク記録媒体の情報記録面に光スポットを形成してアクセスするための光ビームの送受光を行う送受光手段と、
送受光手段を角変位させて、光ディスク記録媒体の情報記録面を光スポットで走査可能な光走査手段とを含むことを特徴とする光ピックアップ装置。
【請求項４】
複数の光ディスク記録媒体を回転可能な回転手段をさらに含み、
前記光走査手段は、該複数の光ディスク記録媒体にそれぞれ光スポットを形成可能なように、前記光ビームを該複数の経路で走査することを特徴とする請求項１〜３のいずれかに記載の光ピックアップ装置。
【請求項５】
前記光走査手段と前記光ディスク記録媒体との間に配置され、像高が焦点距離Ｆと入射角度θとの積となるＦθレンズをさらに含むことを特徴とする請求項１〜４のいずれかに記載の光ピックアップ装置。
【請求項６】
前記光走査手段を制御して、前記光ビームを前記光ディスク記録媒体に対して、もしくは前記光ディスク記録媒体が通過する、もしくは通過、存在しうる領域に対して走査させ、走査位置と受光状態との関係に基づいて、該光ディスク記録媒体に関する異常の有無を判別する異常判別手段をさらに含むことを特徴とする請求項１〜５のいずれかに記載の光ピックアップ装置。
【請求項７】
前記光走査手段は、前記光ディスク記録媒体を前記回転手段に装着する経路の途中で走査を行うように、前記光ビームを分岐可能であり、
前記異常判別手段は、光ディスク記録媒体の挿入の際に、前記異常の有無を判別することを特徴とする請求項６記載の光ピックアップ装置。
【発明の詳細な説明】
【０００１】
【発明の属する技術分野】
本発明は、ＣＤやＤＶＤなどの光ディスク記録媒体に対して情報の再生や記録を行う光ピックアップ装置に関する。
【０００２】
【従来の技術】
従来から、大容量の記録媒体として、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの光ディスク記録媒体が広く用いられている。また、ＭＤ（Ｍｉｎｉ  Ｄｉｓｃ  ）やＭＯ（Ｍａｇｎｅｔｏ−Ｏｐｔｉｃａｌ  ｄｉｓｃ）など、磁気も併用する光ディスク記録媒体も用いられている。
【０００３】
図８は、従来からの光ディスク記録媒体再生装置１について、概略的な断面構成を示す。光ディスク記録媒体再生装置１は、ＣＤやＤＶＤなどの光ディスク記録媒体２をターンテーブル３に装着して、高速度で回転させる。光ディスク記録媒体２には光学的に読取り可能な状態で、情報やデータが記録される記録面が設けられている。光ディスク記録媒体２に記録されている情報やデータは、光ピックアップ装置４で読取って再生する。
【０００４】
光ピックアップ装置４は、ターンテーブル３などを支持するシャーシ５に対して摺動変位可能であり、情報やデータを読取るための光スポットを形成するための位置を、光ディスク記録媒体２の外周側と内周側との間で移動させることができるように、光ディスク記録媒体２の記録面に対峙して設けられる。光ピックアップ装置４は、ピックアップユニット６、送りねじ７、スレッドモータ８、抑えばね９などを含む。ピックアップユニット６は、一定の方向に光ビームを発生するために、レーザダイオード（以下、「ＬＤ」と略称する。）１０などの光源や、光学部品などを含む。光スポットの位置の変化は、ピックアップユニット６を送りねじ７などの移動機構で移動させて行う。送りねじ７をスレッドモータ８によって回転させると、送りねじ７と螺合しているピックアップユニット６が送りねじ７の軸線に沿って移動し、光ビームが照射されて形成される光スポットの位置を、光ディスク記録媒体２の半径方向に移動させることができる。ピックアップユニット６を送りねじ７で送る際には、機械的なガタが生じるので、抑えばね９などをガタ取り用として設ける。
【０００５】
光ビームは、ＬＤ９によって発生され、図示を省略している光学的な構成部分を介してレンズ１１に導かれ、光ディスク記録媒体２の記録面に照射される。光ディスク記録媒体２の記録面で反射される光ビームは、レンズ１１に入射され、図示を省略している光学的な構成部分を介して受光素子に導かれ、受光量の変化に基づいて電気信号が出力され、情報やデータの再生が行われる。なお、光ピックアップ装置４が光ディスク記録媒体２に照射光ビームを照射して形成する光スポットの形状を、ＬＤ１０などの光源の回転で調整する場合もある（たとえば特許文献１および特許文献２参照）。
【０００６】
【特許文献１】
特開平６−６８４８４号公報
【特許文献２】
特開平６−１３９６１３号公報
【０００７】
【発明が解決しようとする課題】
図８に示すような従来の光ディスク記録媒体再生装置１では、ピックアップユニット６や、送りねじ７、またピックアップユニット６を送る際のガタ取り用の抑えばね９など、比較的重量の大きい機構部品が数多く存在し、なおかつ、それらが絶えず駆動させられながら制御されている。このため、１つ目の問題点として、慣性重量的に不利となり、特に振動を伴う使用条件下での制御、たとえばポータブルタイプの可搬用装置や車載用装置では、極めて制御が困難となることが挙げられる。
【０００８】
２つ目の問題点としては、光ピックアップ装置４等の多くの機構部品が光ディスク記録媒体２の記録面に対峙する位置に存在するため、その方向（図８では下方）に大きな空間を必要とし、装置設計上のユニット配置に関して大きな制約条件となることが挙げられる。
【０００９】
３つ目の問題点としては、図８に示すように、情報やデータの読取り、あるいは記録のための書込みの主要部品となる光ピックアップ装置４が光ディスク記録媒体２と対峙しているために、光ディスク記録媒体２を完全に換装しなければ、他の光ディスク記録媒体２に対する処理ができず、複数の光ディスク記録媒体２を並行処理することが不可能であることが挙げられる。
【００１０】
最後に、光ディスク記録媒体再生装置１では、光ディスク記録媒体２を筐体の挿入口に挿入すると、内部のディスクローディング機構で光ディスク記録媒体２を挿入口からターンテーブル３の位置まで搬送させる。このような方式の光ディスク記録媒体再生装置１は、スロットイン方式と呼ばれる。スロットイン方式の光ディスク記録媒体再生装置１の挿入経路の途中には、光ディスク記録媒体２の外径を認識して、大きさや異常の有無を判別する手段が設けられている点にも問題がある。
【００１１】
図９は、ディスクローディング機構１２の概略的な構成を示す。ディスクローディング機構１２には、光ディスク記録媒体２を搬送するローラ１３，１４が設けられる。ローラ１３，１４のうちの少なくとも一方のローラ、たとえばローラ１３は駆動ローラであり、光ディスク記録媒体２を、挿入口からターンテーブルへ搬送するのと、ターンテーブルから挿入口へ搬送するのとを、回転方向を変えて行うことができる。光ディスク記録媒体２のうち、ＣＤには、標準となっている直径１２０ｍｍのものと、直径８０ｍｍのものとがある。光ディスク記録媒体２の大きさの判定のため、ホトインタラプタ１５，１６が配置される。ホトインタラプタ１５，１６としては、隣接する空間に光を照射し、反射する光を受光して、その空間に物体があるか否かを判定する方式のものを使用する。ホトインタラプタ１５，１６は、光ディスク記録媒体２として、８ｃｍディスク１７および１２ｃｍディスク１８が挿入されるときに、外周付近が通る位置に配置される。透過型のホトインタラプタが使用される場合もある。
【００１２】
図９に示すような認識の構成では、光ディスク記録媒体２の外形そのものを認識するのではなく、ある程度の大きさを有していることを確認しているだけである。たとえば８ｃｍディスク１７よりも外径が小さな光ディスク記録媒体２が挿入されても、ホトインタラプタ１５は認識することはできない。また、直径が８０ｍｍより大きくても、ホトインタラプタ１６が認識する位置よりは直径が小さい光ディスク記録媒体２も、８ｃｍディスク１７であると誤認識してしまう。
【００１３】
さらに、図１０に誇張して示すように、異形ディスク１９が挿入されても、外径が異常であることを認識することはできず、ホトインタラプタ１５が認識すれば８ｃｍディスク１７と判別し、ホトインタラプタ１６が認識すれば１２ｃｍディスク１８と判別してしまう。光ディスク記録媒体再生装置１によっては、図１０に示すような異形ディスク１９を装置内に挿入すること自体が致命的な障害を引き起すこととなってしまう。
【００１４】
本発明の目的は、ピックアップユニットを光ディスク記録媒体の記録面に対峙させて移動させなくても、情報の読出しや書込みが可能になる光ピックアップ装置を提供することである。
【００１５】
【課題を解決するための手段】
本発明は、光ディスク記録媒体に対する再生や記録を行うための光ピックアップ装置において、
光ディスク記録媒体の情報記録面に光スポットを形成してアクセスするための光ビームの送受光を行う送受光手段と、
送受光手段と光ディスク記録媒体との間に配置され、送受光手段との間では光ビームの経路を静止させ、光ディスク記録媒体との間では光ビームの経路を移動させて、光ディスク記録媒体の情報記録面を光スポットで走査可能な光走査手段とを含むことを特徴とする光ピックアップ装置である。
【００１６】
本発明に従えば、光ピックアップ装置は、光ディスク記録媒体に対する再生や記録を行うために、送受光手段と光走査手段とを含む。光ディスク記録媒体の情報記録面に、光スポットを形成してアクセスするための光ビームは、送受光手段によって送受光される。光走査手段は、送受光手段と光ディスク記録媒体との間に配置され、送受光手段との間では光ビームの経路を静止させ、光ディスク記録媒体との間では光ビームの経路を移動させて、光ディスク記録媒体の情報記録面を光スポットで走査可能である。送受光手段と光走査手段とを光ディスク記録媒体の情報記録面に対峙させて移動させなくても、光走査手段が光ビームを光ディスク記録媒体の情報記録面に照射する経路を形成可能な空間が存在すれば、情報記録面に対して光スポットの走査を行うことができる。
【００１７】
また本発明で、前記光走査手段は、前記送受光手段との間の光ビームに対して垂直な軸まわりに角変位し、光ビームの出射角度が時間的に変化する角変位ミラーを含むことを特徴とする。
【００１８】
本発明に従えば、光走査手段に含まれる角変位ミラーは、光ビームに対して垂直な軸まわりに角変位して、入射する光ビームを反射し、反射して出射する光ビームの出射角度を時間的に変化させる。光ビームは角変位ミラーからの出射角度が時間的に変化するので、光ディスク記録媒体の情報記録面に照射される位置を時間的に変化させることができる。
【００１９】
さらに本発明は、光ディスク記録媒体に対する再生や記録を行うための光ピックアップ装置において、
光ディスク記録媒体の情報記録面に光スポットを形成してアクセスするための光ビームの送受光を行う送受光手段と、
送受光手段を角変位させて、光ディスク記録媒体の情報記録面を光スポットで走査可能な光走査手段とを含むことを特徴とする光ピックアップ装置である。
【００２０】
本発明に従えば、光ピックアップ装置は、光ディスク記録媒体に対する再生や記録を行うために、送受光手段と光走査手段とを含む。光ディスク記録媒体の情報記録面に、光スポットを形成してアクセスするための光ビームは、送受光手段によって送受光される。光走査手段は、送受光手段を角変位させて、光ディスク記録媒体の情報記録面を光スポットで走査可能であるので、送受光手段と光走査手段とを光ディスク記録媒体の情報記録面に対峙させて移動させなくても、送受光手段によって送受光される光ビームを光ディスク記録媒体の情報記録面に照射する経路を形成可能な空間が存在すれば、情報記録面に対して光スポットの走査を行うことができる。
【００２１】
また本発明で、複数の光ディスク記録媒体を回転可能な回転手段をさらに含み、
前記光走査手段は、該複数の光ディスク記録媒体にそれぞれ光スポットを形成可能なように、前記光ビームを該複数の経路で走査することを特徴とする。
【００２２】
本発明に従えば、回転手段によって複数の光ディスク記録媒体を同時に回転させ、光走査手段によって各光ディスク記録媒体に対して同時に光ビームの走査を行い、情報のアクセスを複数の光ディスク記録媒体に対して並行して行うことができる。
【００２３】
また本発明で、前記光走査手段と前記光ディスク記録媒体との間に配置され、像高が焦点距離Ｆと入射角度θとの積となるＦθレンズをさらに含むことを特徴とする。
【００２４】
本発明に従えば、光ビームの経路である光走査手段と光ディスク記録媒体との間には、像高が焦点距離Ｆと入射角度θとの積となるＦθレンズが含まれる。Ｆθレンズは、入射角度θに対して像高が比例するので、Ｆθレンズを通過した光ビームが光ディスク記録媒体の情報記録面に照射する位置を、Ｆθレンズへの入射角度θに比例させることができる。したがって、光ピックアップなどを情報記録面に対峙させて移動させなくても、Ｆθレンズへ入射角度θを変えて、光ディスク記録媒体の情報記録面へのアクセス位置を容易かつ精度良く変化させることができる。
【００２５】
また本発明は、前記光走査手段を制御して、前記光ビームを前記光ディスク記録媒体に対して、もしくは前記光ディスク記録媒体が通過する、もしくは通過、存在しうる領域に対して走査させ、走査位置と受光状態との関係に基づいて、該光ディスク記録媒体に関する異常の有無を判別する異常判別手段をさらに含むことを特徴とする。
【００２６】
本発明に従えば、異常判別手段は、光走査手段で光ディスク記録媒体の情報記録面を走査させ、情報記録面からの反射光を受光し、走査位置と受光状態との関係に基づいて、光ディスク記録媒体に関する異常の有無を判別する。光ビームで光ディスク記録媒体を走査する範囲で、連続的に走査位置と受光状態との関係を検知することができるので、光ディスク記録媒体の外形について、特定の位置のみで検知するよりも正確な情報を得ることができる。光ディスク記録媒体を回転手段に装着して、回転させながら走査を行えば、光ディスク記録媒体の表面に対する異常の有無の情報を得ることもでき、情報の再生や記録に支障がある汚れや傷などの判別も可能となる。
【００２７】
また本発明で、前記光走査手段は、前記光ディスク記録媒体を前記回転手段に装着する経路の途中で走査を行うように、前記光ビームを分岐可能であり、
前記異常判別手段は、光ディスク記録媒体の挿入の際に、前記異常の有無を判別することを特徴とする。
【００２８】
本発明に従えば、回転手段によって回転する光ディスク記録媒体の情報記録面を走査して情報の再生や記録を行うための光走査手段で、光ビームを分岐して、回転手段に装着する経路の途中でも光ディスク記録媒体の走査を行うことが可能である。異常判別手段は、光ディスク記録媒体の挿入の際に、異常の有無を判別するので、回転手段に装着して回転させることが不適切な異形ディスクなどを事前に判別することができる。判別結果から必要に応じて、光ディスク記録媒体を受入れるディスクローディング処理の中止や、光ディスク記録媒体を排出するような処理を行い、光ディスク記録媒体再生装置などへの不適切な媒体の挿入を未然に防ぐことが可能となる。
【００２９】
【発明の実施の形態】
以下、図面に基づいて、本発明の実施の形態について説明する。先行して説明する図と後から説明する図とに対応する部分があるときに、同一名称の部分について、重複する説明を省略することがある。
【００３０】
図１は、本発明の実施の一形態である光ピックアップ装置を含む光ディスク記録媒体再生装置２１の概略的な構成を示す。（ａ）は正面断面視、（ｂ）は底面視した状態をそれぞれ示す。光ディスク記録媒体再生装置２１は、ＣＤやＤＶＤなどの光ディスク記録媒体２２に対する再生を行うために、図示を省略しているターンテーブルなどに光ディスク記録媒体２２を装着して高速回転させ、光ビーム２３を照射し、ピックアップ装置２４で情報記録面から情報を読取る。光ディスク記録媒体再生装置２１が書込み機能を有しており、光ディスク記録媒体がＣＤ−Ｒ、ＣＤ−ＲＷ、ＤＶＤ−Ｒ、ＤＶＤ＋Ｒ、ＤＶＤ−ＲＷ、ＤＶＤ＋ＲＷ、ＤＶＤ−ＲＡＭ、ＭＯ、ＭＤなど、書込み可能な媒体であれば、光ピックアップ装置２４は、情報を書込む機能を備えている。
【００３１】
光ピックアップ装置２４は、静止しているピックアップユニット２５と、回転ミラー２６とを含む。ピックアップユニット２５は、光ビーム２３の光源となるＬＤ、ＬＤから発光されるレーザ光を細いビームに絞り、反射して戻る光ビーム２３を分離するホログラムユニットやレンズなどの光学系、および受光素子などを搭載し、光ディスク記録媒体２２の情報記録面に光スポットを形成してアクセスするための光ビーム２３の送受光を行う送受光手段として機能する。回転ミラー２６は、モータ２７によって一定の速度で回転するように駆動される。回転する回転ミラー２６は、ピックアップユニット２５と光ディスク記録媒体２２との間に配置され、ピックアップユニット２５との間では光ビーム２３の経路を静止させ、光ディスク記録媒体２２との間では光ビーム２３の経路を移動させて、光ディスク記録媒体２２の情報記録面を光スポットで走査可能な光走査手段として機能する。
【００３２】
すなわち、本実施形態の、光ピックアップ装置２４では、回転する光ディスク記録媒体２２の情報記録面に、光スポットを形成してアクセスするための光ビーム２３は、送受光手段であるピックアップユニット２５によって送受光される。ピックアップユニット２５は、静止するように設置される。光走査手段である回転ミラー２６は、光ビーム２３の経路に関し、ピックアップユニット２５と光ディスク記録媒体２２との間に配置され、ピックアップユニット２５との間では光ビーム２３ａの経路を静止させ、光ディスク記録媒体２２との間では光ビーム２３ｂの経路を移動させて、光ディスク記録媒体２２の情報記録面を光スポットで走査可能である。ピックアップユニット２５と回転ミラー２６とを光ディスク記録媒体２２の情報記録面に対峙させて移動させなくても、回転ミラー２６が光ビームを光ディスク記録媒体２２の情報記録面に照射する経路を形成可能な空間が存在すれば、情報記録面に対して光スポットを形成するための光ビーム２３ｂの走査を行うことができる。
【００３３】
また、回転ミラー２６を回転制御させているので、回転ミラー２６によって反射され、光ディスク記録媒体に到達する範囲は限られている。回転ミラー２６を高速で回転させることによって光ビーム２３ｂが光ディスク記録媒体２２の情報記録面へアクセスする頻度を高めることができる。光スポットの位置が光ディスク記録媒体２２の径方向で変化する速度も速くなり、情報記録トラック間を高速度で移動することができる。
【００３４】
なお、回転ミラー２６のように回転させるのではなく、一定の角度範囲、特に光ディスク記録媒体２２の走査に必要な範囲にだけミラーを角変位させても、必要な走査を行うことができる。走査を行うための角変位ミラーは、光ビーム２３に対して垂直な軸まわりに角変位して、入射する光ビーム２３ａを反射し、反射して出射する光ビーム２３ｂの出射角度を時間的に変化させる。光ビーム２３ｂは角変位ミラーからの出射角度が時間的に変化するので、光ディスク記録媒体２２の情報記録面に照射される位置を時間的に変化させることができる。
【００３５】
また本実施形態では、回転ミラー２６と光ディスク記録媒体２２との間に、Ｆθレンズ２８および固定ミラー２９がそれぞれ配置される。Ｆθレンズ２８は、光ディスク記録媒体２２の半径方向のあらゆるポイントにおいてレーザスポットの基本的な焦点をその情報記録面に結ぶように設計されている。Ｆθレンズ２８と光ディスク記録媒体２２との間の固定ミラー２９は、光ビーム２３ｂを光ディスク記録媒体２２の表面へと導く。
【００３６】
図１は、本発明の基本的な構成であり、光ディスク記録媒体２２の情報記録面に対峙する構成物は、固定ミラー２９のみとなる。図８に示すような、送りねじ７やスレッドモータ８等のピックアップユニット６の駆動部品は不要となり、基本的に、光ビーム２３の光路が確保できれば成立する機構となる。また、回転ミラー２９は、回転のみを制御すればよく、その設置に関しては自由度が大きく、強固に据付け可能となり、対振動性能が向上する。この構造により、従来からの１つ目の問題点と、２つ目の問題点とを解決することが可能となる。
【００３７】
図２は、Ｆθレンズ２８の原理を示す。Ｆθレンズ２８は、回転多面鏡３０とともに使用されることが多い。光源から光ビーム２３ａが回転多面鏡３０の表面に入射されると、反射光がＦθレンズ２８に入射する。Ｆθレンズ２８は、像高ｈが焦点距離Ｆと入射角度θとの積となるｈ＝Ｆ×θでで表される。入射角度θは、光源の配置と回転多面鏡３０の回転角度とに従って変化するので、像高ｈも回転多面鏡３０の回転角度に応じて変化することになる。同様に、本実施形態では、回転ミラー２６の回転角度に応じてＦθレンズ２８から出射して光ディスク記録媒体２２に照射される光ビーム２３ｂの位置が変化する。すなわち、Ｆθレンズ２８を通過した光ビーム２３ｂが光ディスク記録媒体２２の情報記録面に照射する位置を、Ｆθレンズ２８への入射角度θに比例させることができるので、光ピックアップなどを情報記録面に対峙させて移動させなくても、Ｆθレンズ２８への入射角度θを変えて、光ディスク記録媒体２２の情報記録面へのアクセス位置を容易かつ精度良く変化させることができる。
【００３８】
図３は本発明の実施の他の形態である光ピックアップ装置３４の概略的な構成を示す。本実施形態の光ピックアップ装置３４は、光ディスク記録媒体の情報記録面に光スポットを形成してアクセスするための光ビームの送受光を行う送受光手段としてのピックアップユニット３５と、ピックアップユニット３５を角変位させて、光ディスク記録媒体の情報記録面を光スポットで走査可能な光走査手段としての角変位機構３６とを含む。本実施形態の角変位機構３６は、モータ３７で回転駆動され、ピックアップユニット３５が送受光する光ビーム３８がＦθレンズ２８に入射する角度θを変化させる。角変位機構３６を、往復運動するアクチュエータで駆動して、光ビーム３８が一定の角度範囲で揺動変位するように駆動することもできる。
【００３９】
本実施形態でも、光ディスク記録媒体の情報記録面に光スポットを形成してアクセスするための光ビーム３８は、ピックアップユニット３５によって送受光され、角変位機構３６がピックアップユニット３５を角変位させて、光ディスク記録媒体の情報記録面を光スポットで走査可能である。したがって、ピックアップユニット３５と角変位機構３６とを光ディスク記録媒体の情報記録面に対峙させて移動させなくても、光ビーム３８を光ディスク記録媒体の情報記録面に照射する経路を形成可能な空間が存在すれば、情報記録面に対して光スポットの走査を行うことができる。
【００４０】
図４は、本発明の実施のさらに他の形態である光ピックアップ装置４４の概略的な構成を示す。本実施形態では、図示を省略しているけれども、２つのターンテーブルを回転手段として備え、２つの光ディスク記録媒体を回転可能である。光ピックアップ装置４４は、ピックアップユニット４５からの光ビームを回転ミラー２６で走査する点は、図１の光ピックアップ装置２４と同様である。本実施形態の光ピックアップ装置４４は、さらに、回折格子４６、固定ミラー４７ａ，４７ｂ、およびＦθレンズ４８ａ，４８ｂを含む。本実施形態の光走査手段としては、回転ミラー２６とともに、回折格子４６および２つのＦθレンズ４８ａ，４８ｂで各光ディスク記録媒体に対する走査を行う。回折格子４６は、光ビームを２つに分岐する。分岐された光ビームは、固定ミラー４７ａ，４７ｂでそれぞれ反射して方向を変え、各Ｆθレンズ４８ａ，４８ｂに入射し、さらに各光ディスク記録媒体に導かれる。なお、光ビームは、同様にして、３以上に分岐し、それぞれＦθレンズを通して光ディスク記録媒体に導くことができる。すなわち、複数の光ディスク記録媒体にそれぞれ光スポットを形成可能なように、光ビームをその複数の経路で走査することができる。
【００４１】
また、複数の経路に分岐した光ビームの経路の途中にシャッタなどを設け、１つの光ビームのみが光ディスク記録媒体に照射され、反射光が戻るようにすれば、図１に示すようなピックアップユニット２５で情報の再生を行うことができる。情報の書込を行う場合は、光ビームの出力が充分にある限り、複数の光ディスク記録媒体に対して同時に書込を行うことができる。また、各光ビームの帰路で分岐させてそれぞれ受光するようにすれば、同一の光源から複数の光ディスク記録媒体に対して同時に光ビームを照射し、受光は各光ディスク記録媒体毎に別個に行うことができる。さらに、表裏両面に情報記録面が設けられるような光ディスク記録媒体に対し、表裏両面に同時に光ビームを走査して情報にアクセスすることもできる。複数の情報記録面に光ビームを走査する際に、図４で、回折格子４６で分岐した後に複数の回転ミラー２６を配置して、各光ビームを独立に走査することもできる。
【００４２】
図５は、本発明の実施のさらに他の形態として、図４の実施形態で回折格子４６と２つのＦθレンズ４７ａ，４７ｂとを用いる代りに使用することが可能な、Ｆθ機能と回折格子機能とを持つ分岐Ｆθレンズ４９の概略的な構成を示す。このような分岐Ｆθレンズ４９を用いれば、複数の光ディスク記録媒体にアクセス可能な光ピックアップ装置の小型化を図ることができる。
【００４３】
図４および図５の実施形態では、１つのピックアップユニット４５で複数の光ディスク記録媒体の情報記録面に対して同時に光ビームの走査を行い、情報のアクセスを複数の光ディスク記録媒体に対して並行して行うことができる。これによって、従来からの３つ目の問題点を解決することができる。
【００４４】
図６および図７は、本発明の実施のさらに他の形態である光ピックアップ装置を含む光ディスク記録媒体再生装置５１の概略的な構成を示す。図６は斜視した構成を示し、図７は図６の矢符Ａ方向から見た部分的な構成を示す。光ディスク記録媒体再生装置がスロットイン型の場合、光ディスク記録媒体２２は、筐体の挿入口から挿入され、ディスクローディングローラ５２によって再生位置まで搬入される。搬入途中で光ディスク記録媒体２２に対して光ビーム２３ｃの走査を行うために、反射ミラー５３、Ｆθレンズ５８および固定ミラー５９を設ける。図６に示す処理ユニット６０は、ピックアップユニット２５からの受光出力が入力されて電気的な信号処理を行い、その処理には異常判別手段としての機能も含まれる。
【００４５】
本実施形態の光ピックアップ装置５４では、図１の実施形態で回転ミラー２７から反射する光ビーム２３ｂがＦθレンズ２８に入射する角度の範囲とは別な範囲に、反射ミラー５３を設置する。すなわち、図６に示す角度αの範囲は図１の実施形態と同様に使用し、角度αとは別の角度βの範囲に、反射ミラー５３を設置する。回転ミラー２６は、必要に応じてその回転角度を調整することができる。たとえば、光ディスク記録媒体２２の挿入時は、角度βの範囲の光路を光ビーム２３ｃがとり、反射ミラー５３で反射され、Ｆθレンズ５８を通り、固定ミラー５９を経て、最終的に挿入途中の光ディスク記録媒体２２の情報記録面へと照射される。これによって、光ディスク記録媒体２２のレーベル面、情報記録面の認識、汚れや傷などの認識、走査による外形の認識、挿入形態（８の字挿入、連続挿入）等を読取ることが可能となる。ピックアップユニット２５へ返される走査データに基づき、８ｃｍディスクや１２ｃｍディスクの外形データ値と比較すれば、光ディスク記録媒体２２の外形や、挿入形態を推測して、異常の有無の判定が可能となるからである。その認識結果により、必要に応じて処理ユニット６０は、ディスクローディングの中止、光ディスク記録媒体２２の排出等の処置を実行し、不適切な媒体の挿入を未然に防止することができる。
【００４６】
また、光ディスク記録媒体２２の情報記録面を走査させ、情報記録面からの反射光を受光し、走査位置と受光状態との関係に基づいて、光ディスク記録媒体に関する異常の有無を判別することは、ターンテーブルに装着して回転させる状態でも行うことができる。すなわち、前述の他の実施形態でも、光ビームで光ディスク記録媒体の情報記録面を走査する範囲で、連続的に走査位置と受光状態との関係を検知することができるので、光ディスク記録媒体の外形について、特定の位置のみで検知するよりも正確な情報を得ることができる。光ディスク記録媒体を回転させながら走査を行えば、光ディスク記録媒体の表面に対する異常の有無の情報を得ることもでき、情報の再生や記録に支障がある汚れや傷などの判別も可能となる。
【００４７】
【発明の効果】
以上のように本発明によれば、送受光手段が送受光する光ビームの経路を、光走査手段によって移動させて、光ディスク記録媒体の情報記録面を光スポットで走査可能である。送受光手段と光走査手段とを光ディスク記録媒体の情報記録面に対峙させて移動させなくても、光ビームを光ディスク記録媒体の情報記録面に照射する経路を形成可能な空間が存在すれば、情報記録面に対して光スポットの走査を行うことができる。
【００４８】
また本発明によれば、光走査手段に含まれる角変位ミラーから光ビームが出射する角度が時間的に変化するので、光ディスク記録媒体の情報記録面に照射される位置を時間的に変化させることができる。
【００４９】
さらに本発明によれば、光ディスク記録媒体の情報記録面に光スポットを形成してアクセスするための光ビームを送受光する送受光手段を、光走査手段によって角変位させて走査可能である。送受光手段と光走査手段とを光ディスク記録媒体の情報記録面に対峙させて移動させなくても、光ビームを光ディスク記録媒体の情報記録面に照射する経路を形成可能な空間が存在すれば、情報記録面に対して光スポットの走査を行うことができる。
【００５０】
また本発明によれば、複数の光ディスク記録媒体を同時に回転させ、情報へのアクセスを複数の光ディスク記録媒体に対して並行して行うことができる。
【００５１】
また本発明によれば、光ビームが光ディスク記録媒体の情報記録面に照射する位置を、Ｆθレンズへの入射角度θに比例させることができるので、入射角度θを変えて、光ディスク記録媒体の情報記録面へのアクセス位置を容易かつ精度良く変化させることができる。
【００５２】
また本発明によれば、光ディスク記録媒体の情報記録面を光ビームで走査させ、走査位置と反射光の受光状態との関係に基づいて異常の有無を判別するので、光ディスク記録媒体の外形について、特定の位置のみで検知するよりも正確な情報を得ることができる。光ディスク記録媒体を回転させながら走査すれば、光ディスク記録媒体の表面に汚れや傷などがある場合の判別も可能となる。
【００５３】
また本発明によれば、光ディスク記録媒体の挿入の際に異常の有無を判別するので、装着して回転させることが不適切な異形ディスクなどを事前に判別することができる。判別結果から必要に応じて、光ディスク記録媒体を受入れるディスクローディング処理の中止や、光ディスク記録媒体を排出するような処理を行い、光ディスク記録媒体再生装置などへの不適切な媒体の挿入を未然に防ぐことが可能となる。
【図面の簡単な説明】
【図１】本発明の実施の一形態である光ピックアップ装置２４を含む光ディスク記録媒体再生装置２１の概略的な構成を示す正面図および底面図である。
【図２】図１のＦθレンズ２８の原理を示す図である。
【図３】本発明の実施の他の形態である光ピックアップ装置３４の概略的な構成を示す図である。
【図４】本発明の実施のさらに他の形態である光ピックアップ装置４４の概略的な構成を示す斜視図である。
【図５】本発明の実施のさらに他の形態である光ピックアップ装置に使用する分岐Ｆθレンズ４９を示す図である。
【図６】本発明の実施のさらに他の形態である光ピックアップ装置５４の概略的な構成を示す斜視図である。
【図７】図６の矢符Ａ方向から見た部分的な側面図である。
【図８】従来からの光ディスク記録媒体再生装置の概略的な構成を示す断面図である。
【図９】図８の光ディスク記録媒体再生装置で、光ディスク記録媒体の外形を識別する部分の構成を示す斜視図である。
【図１０】図９の構成では、識別困難な異形ディスク１９を示す図である。
【符号の説明】
２１，５１  光ディスク記録媒体再生装置
２２  光ディスク記録媒体
２３，２３ａ，２３ｂ，２３ｃ，３８  光ビーム
２４，３４，４４，５４  光ピックアップ装置
２５，３５，４５  ピックアップユニット
２６  回転ミラー
２７  モータ
２８，４８ａ，４８ｂ  Ｆθレンズ
３６  角変位機構
４６  回折格子
４９  分岐Ｆθレンズ
６０  処理ユニット
【図１】
2004280937.tif 000003
【図２】
2004280937.tif 000004
【図３】
2004280937.tif 000005
【図４】
2004280937.tif 000006
【図５】
2004280937.tif 000007
【図６】
2004280937.tif 000008
【図７】
2004280937.tif 000009
【図８】
2004280937.tif 000010
【図９】
2004280937.tif 000011
【図１０】
2004280937.tif 000012